(57)【要約】【課題】画像形成装置をコンパクト化し、画像形成装置の製造コストを低廉化する。【解決手段】本発明の画像形成装置は、画像形成動作に伴って昇温する被冷却部３０と、被冷却部３０に冷却風を送る送風装置５５と、像担持体８と、像担持体８にレーザー光を照射する光走査装置１２と、光走査装置１２から像担持体８に至る光路Ａを開放する開放位置と、光路Ａを閉塞する閉塞位置と、の間で回動可能に設けられると共に、開放位置にある状態において送風装置５５から被冷却部３０に至るダクト５６の一部を構成するシャッター６１と、を備えていることを特徴とする。【選択図】図２
2014232223.tif 000002
【特許請求の範囲】
【請求項１】
画像形成動作に伴って昇温する被冷却部と、
前記被冷却部に冷却風を送る送風装置と、
像担持体と、
前記像担持体にレーザー光を照射する光走査装置と、
前記光走査装置から前記像担持体に至る光路を開放する開放位置と、前記光路を閉塞する閉塞位置と、の間で回動可能に設けられるシャッターと、を備え、
前記シャッターは、前記開放位置にある状態において、前記送風装置から前記被冷却部に冷却風を送るためのダクトの一部を構成することを特徴とする画像形成装置。
【請求項２】
開閉可能に設けられる外装カバーと、
前記シャッターを前記閉塞位置に付勢する付勢部材と、を更に備え、
前記外装カバーが開けられると、前記付勢部材の付勢力によって前記シャッターが前記開放位置から前記閉塞位置まで回動し、
前記外装カバーが閉じられると、前記外装カバーが前記シャッターを押圧し、前記付勢部材の付勢力に抗して前記シャッターが前記閉塞位置から前記開放位置まで回動することを特徴とする請求項１に記載の画像形成装置。
【請求項３】
開閉可能に設けられる外装カバーと、
前記シャッターを押圧する押圧位置と、前記シャッターへの押圧を解除する押圧解除位置と、の間で揺動可能に設けられるリンク部材と、
前記リンク部材を前記押圧解除位置に付勢する付勢体と、を更に備え、
前記外装カバーが開けられると、前記付勢体の付勢力によって前記リンク部材が前記押圧位置から前記押圧解除位置まで揺動し、前記シャッターが自重で前記開放位置から前記閉塞位置まで回動し、
前記外装カバーが閉じられると、前記外装カバーが前記リンク部材を押圧し、前記付勢体の付勢力に抗して前記リンク部材が前記押圧解除位置から前記押圧位置まで揺動し、前記シャッターが前記閉塞位置から前記開放位置まで回動することを特徴とする請求項１に記載の画像形成装置。
【請求項４】
前記シャッターは、
回動軸と、
前記回動軸から径方向外側に向かって延びる第１平板部と、
前記回動軸から径方向外側に向かって延びると共に、前記回動軸を挟んで前記第１平板部の反対側に設けられる第２平板部と、を備えていることを特徴とする請求項１〜３のいずれか１項に記載の画像形成装置。
【請求項５】
前記光走査装置は、前記レーザー光を導出するための開口部を有する筐体を備え、
前記シャッターは、前記開放位置にある状態において前記ダクトの内部と前記開口部を区画するように設けられていることを特徴とする請求項１〜４のいずれか１項に記載の画像形成装置。
【請求項６】
前記被冷却部は、
前記像担持体と、
前記像担持体に残留したトナーを回収するクリーニング装置と、を含むことを特徴とする請求項１〜５のいずれか１項に記載の画像形成装置。
【発明の詳細な説明】
【技術分野】
【０００１】
本発明は、電子写真方式の画像形成装置に関する。
【背景技術】
【０００２】
従来、プリンター、複写機、ファクシミリ、複合機等の電子写真方式の画像形成装置では、光走査装置の光源から出射されるレーザー光を感光体ドラム等の像担持体に照射することで、像担持体に静電潜像を形成している。
【０００３】
また、電子写真方式の画像形成装置には、開閉可能な外装カバーが設けられているのが通常であり、この外装カバーが開けられた状態で光走査装置の光源が異常発光すると、光走査装置の光源から出射されたレーザー光が画像形成装置の外部に漏れる虞がある。そこで、特許文献１には、レーザー光の光路を遮蔽する第１の位置とレーザー光の光路を開放する第２の位置の間で移動可能なシャッター（特許文献１の「シャッタ部材６０」参照）を備えた画像形成装置が開示されている。
【０００４】
また、画像形成装置の中にはファン等の送風装置を備えたものが存在し、画像形成動作に伴って昇温する部分（以下、「被冷却部」と称する。）に上記の送風装置からの冷却風を送ることで、被冷却部を冷却できるようになっている。
【先行技術文献】
【特許文献】
【０００５】
【特許文献１】特開２００８−１２２８３０号公報
【発明の概要】
【発明が解決しようとする課題】
【０００６】
上記のような送風装置を備えた画像形成装置において、送風装置からの冷却風によって被冷却部を効率的に冷却するためには、送風装置と被冷却部をダクトによって接続するのが望ましい。しかしながら、上記ダクトの全体が専用の部品によって構成されると、画像形成装置が大型化し、画像形成装置の製造コストが上昇する虞がある。
【０００７】
そこで、本発明は上記事情を考慮し、画像形成装置をコンパクト化し、画像形成装置の製造コストを低廉化することを目的とする。
【課題を解決するための手段】
【０００８】
本発明の画像形成装置は、画像形成動作に伴って昇温する被冷却部と、前記被冷却部に冷却風を送る送風装置と、像担持体と、前記像担持体にレーザー光を照射する光走査装置と、前記光走査装置から前記像担持体に至る光路を開放する開放位置と、前記光路を閉塞する閉塞位置と、の間で回動可能に設けられるシャッターと、を備え、前記シャッターは、前記開放位置にある状態において、前記送風装置から前記被冷却部に冷却風を送るためのダクトの一部を構成することを特徴とする。
【０００９】
このような構成を採用することにより、光走査装置から像担持体に至る光路を開閉するためのシャッターを、送風装置から被冷却部に冷却風を送るためのダクトの一部として兼用することが可能となる。これに伴って、上記のダクトの全体が専用の部品によって構成される場合と比較して、画像形成装置をコンパクト化することができ、画像形成装置の製造コストを低廉化することが可能となる。
【００１０】
本発明の画像形成装置は、開閉可能に設けられる外装カバーと、前記シャッターを前記閉塞位置に付勢する付勢部材と、を更に備え、前記外装カバーが開けられると、前記付勢部材の付勢力によって前記シャッターが前記開放位置から前記閉塞位置まで回動し、前記外装カバーが閉じられると、前記外装カバーが前記シャッターを押圧し、前記付勢部材の付勢力に抗して前記シャッターが前記閉塞位置から前記開放位置まで回動しても良い。
【００１１】
このような構成を採用することにより、外装カバーが開けられた状態では、光走査装置から像担持体に至る光路をシャッターが閉塞するため、光走査装置からのレーザー光が画像形成装置の外部に漏れるのを防止し、ユーザー等の作業者を保護することができる。一方で、外装カバーが閉じられた状態では、光走査装置から像担持体に至る光路をシャッターが開放するため、光走査装置からのレーザー光を像担持体に照射することが可能となる。
【００１２】
また、外装カバーが閉じられる際に外装カバーがシャッターを直接押圧する構成であるため、リンク部材等を介して外装カバーとシャッターを接続する場合と比較して、画像形成装置の構成を簡易なものとすることが可能となる。
【００１３】
本発明の画像形成装置は、開閉可能に設けられる外装カバーと、前記シャッターを押圧する押圧位置と、前記シャッターへの押圧を解除する押圧解除位置と、の間で揺動可能に設けられるリンク部材と、前記リンク部材を前記押圧解除位置に付勢する付勢体と、を更に備え、前記外装カバーが開けられると、前記付勢体の付勢力によって前記リンク部材が前記押圧位置から前記押圧解除位置まで揺動し、前記シャッターが自重で前記開放位置から前記閉塞位置まで回動し、前記外装カバーが閉じられると、前記外装カバーが前記リンク部材を押圧し、前記付勢体の付勢力に抗して前記リンク部材が前記押圧解除位置から前記押圧位置まで揺動し、前記シャッターが前記閉塞位置から前記開放位置まで回動しても良い。
【００１４】
このような構成を採用することにより、外装カバーが開けられた状態では、光走査装置から像担持体に至る光路をシャッターが閉塞するため、光走査装置からのレーザー光が画像形成装置の外部に漏れるのを防止し、ユーザー等の作業者を保護することができる。一方で、外装カバーが閉じられた状態では、光走査装置から像担持体に至る光路をシャッターが開放するため、光走査装置からのレーザー光を像担持体に照射することが可能となる。
【００１５】
また、リンク部材を介して外装カバーの押圧力をシャッターに伝達する構成であるため、外装カバーによってシャッターを直接押圧することが困難な場合（例えば、外装カバーとシャッターが離れた位置にある場合）でも、シャッターを回動させることが可能となる。
【００１６】
前記シャッターは、回動軸と、前記回動軸から径方向外側に向かって延びる第１平板部と、前記回動軸から径方向外側に向かって延びると共に、前記回動軸を挟んで前記第１平板部の反対側に設けられる第２平板部と、を備えていても良い。
【００１７】
このような構成を採用することにより、簡易な構成によってダクトの気密性を高めることが可能となる。
【００１８】
前記光走査装置は、前記レーザー光を導出するための開口部を有する筐体を備え、前記シャッターは、前記開放位置にある状態において前記ダクトの内部と前記開口部を区画するように設けられていても良い。
【００１９】
このような構成を採用することにより、ダクトの内部を流動する冷却風に含まれる粉塵が筐体の内部に設置された光学系の部品を汚染するのを防止することが可能となる。
【００２０】
前記被冷却部は、前記像担持体と、前記像担持体に残留したトナーを回収するクリーニング装置と、を含んでも良い。
【００２１】
このような構成を採用することにより、像担持体及びクリーニング装置を冷却し、画像不良の発生を抑制することが可能となる。
【発明の効果】
【００２２】
本発明によれば、画像形成装置をコンパクト化し、画像形成装置の製造コストを低廉化することが可能となる。
【図面の簡単な説明】
【００２３】
【図１】本発明の第１の実施形態に係るプリンターの概略を示す模式図である。
【図２】本発明の第１の実施形態に係るプリンターにおいて、上部カバーが閉じられると共に、シャッターが開放位置にある状態を示す断面図である。
【図３】本発明の第１の実施形態に係るプリンターにおいて、上部カバーが開けられると共に、シャッターが閉塞位置にある状態を示す断面図である。
【図４】本発明の第１の実施形態に係るプリンターにおいて、上部カバー及び前部カバーが閉じられた状態を示す斜視図である。
【図５】本発明の第１の実施形態に係るプリンターにおいて、上部カバー及び前部カバーが開けられた状態を示す斜視図である。
【図６】本発明の第１の実施形態に係るプリンターにおいて、上部カバーが閉じられると共に、シャッターが開放位置にある状態を示す斜視断面図である。
【図７】本発明の第１の実施形態に係るプリンターにおいて、上部カバーが開けられると共に、シャッターが閉塞位置にある状態を示す斜視断面図である。
【図８】本発明の第１の実施形態に係るプリンターにおいて、プロセスユニットを引き出した状態を示す斜視図である。
【図９】本発明の第２の実施形態に係るプリンターにおいて、上部カバーが閉じられると共に、シャッターが開放位置にある状態を示す断面図である。
【図１０】本発明の第２の実施形態に係るプリンターにおいて、上部カバーが開けられると共に、シャッターが閉塞位置にある状態を示す断面図である。
【発明を実施するための形態】
【００２４】
＜第１の実施形態＞
まず、図１を用いて、電子写真方式のプリンター１（画像形成装置）の全体の構成について説明する。以下、図１における紙面左側を、プリンター１の正面側（前側）とする。各図に付される矢印Ｆｒは、プリンター１の正面側（前側）を示している。
【００２５】
プリンター１は、箱型形状のプリンター本体２（装置本体）を備えており、プリンター本体２の下部には用紙（図示せず）を収納する給紙カセット３が収容され、プリンター本体２の上面には排紙トレイ４が設けられている。
【００２６】
プリンター本体２の中央部から前上部に亘る部分には、プロセスユニット５が収容されている。プロセスユニット５は、プリンター本体２の前上部に収容されるトナーコンテナ６と、トナーコンテナ６の後下方に配置される現像器７と、現像器７の後下方に配置される感光体ドラム８（像担持体）と、感光体ドラム８の上方に配置される帯電器９と、感光体ドラム８の後方に配置されるクリーニング装置１０と、を備えている。
【００２７】
プリンター本体２の中央部には、感光体ドラム８の下方に転写ローラー１１が配置されている。プリンター本体２の上部には、レーザー・スキャニング・ユニット（ＬＳＵ）で構成される光走査装置１２が収容されている。
【００２８】
プリンター本体２の内部には、用紙の搬送経路１３が設けられている。搬送経路１３の上流端には、給紙部１４が設けられている。搬送経路１３の中流部には、感光体ドラム８と転写ローラー１１によって構成される転写部１５が設けられている。搬送経路１３の下流部には、定着装置１６が設けられている。搬送経路１３の下流端には、排紙部１７が設けられている。搬送経路１３の下方には、両面印刷用の反転経路１８が形成されている。
【００２９】
次に、このような構成を備えたプリンター１の画像形成動作について説明する。
【００３０】
プリンター１に電源が投入されると、各種パラメーターが初期化され、定着装置１６の温度設定等の初期設定が実行される。そして、プリンター１に接続されたコンピューター等から画像データが入力され、印刷開始の指示がなされると、以下のようにして画像形成動作が実行される。
【００３１】
まず、帯電器９によって感光体ドラム８の表面が帯電された後、光走査装置１２からのレーザー光（図１の二点鎖線Ｐ参照）が感光体ドラム８に照射され、感光体ドラム８に静電潜像が形成される。次に、この静電潜像を、現像器７がトナーによりトナー像に現像する。
【００３２】
一方、給紙部１４によって給紙カセット３から取り出された用紙は、上記した画像形成動作とタイミングを合わせて転写部１５へと搬送され、転写部１５において感光体ドラム８上のトナー像が用紙に転写される。トナー像を転写された用紙は、搬送経路１３を下流側へと搬送されて定着装置１６に進入し、この定着装置１６において用紙にトナー像が定着される。トナー像が定着された用紙は、排紙部１７から排紙トレイ４に排出される。なお、感光体ドラム８に残留したトナーは、クリーニング装置１０によって回収される。
【００３３】
次に、プロセスユニット５について説明する。
【００３４】
前述のように、プロセスユニット５は、トナーコンテナ６と、現像器７と、感光体ドラム８と、帯電器９と、クリーニング装置１０と、によって構成されている。
【００３５】
図２、図３に示されるように、トナーコンテナ６は、上面が開口された箱型形状の容器本体２０と、容器本体２０の略中央部に収容される攪拌パドル２１と、容器本体２０の後下部に収容される搬送スクリュー２２と、容器本体２０の上面を覆う蓋体２３と、を備えている。攪拌パドル２１は、容器本体２０に回転可能に支持されており、攪拌パドル２１が回転することで、容器本体２０の内部のトナーが攪拌されるようになっている。搬送スクリュー２２は、容器本体２０に回転可能に支持されており、搬送スクリュー２２が回転することで、容器本体２０からトナーが排出されるようになっている。
【００３６】
現像器７は、箱型形状の現像器本体２４と、現像器本体２４に収容される前後一対の攪拌部材２５と、現像器本体２４の後端側に配置される現像ローラー２６と、を備えている。現像器本体２４には、トナーコンテナ６の容器本体２０から排出されたトナーが導入されるようになっている。各攪拌部材２５は、現像器本体２４に回転可能に支持されており、各攪拌部材２５が回転することで、現像器本体２４の内部のトナーが攪拌されるようになっている。現像ローラー２６は、現像器本体２４に回転可能に支持されており、現像ローラー２６が回転することで、現像器本体２４の内部のトナーが感光体ドラム８に供給されるようになっている。
【００３７】
帯電器９は、ケース部材２７と、ケース部材２７の下部に収容される帯電ローラー２８と、ケース部材２７の上部に収容される除去ローラー２９と、を備えている。帯電ローラー２８は、感光体ドラム８の表面に接触しており、帯電ローラー２８によって感光体ドラム８を帯電させることができるようになっている。除去ローラー２９は、帯電ローラー２８に接触しており、帯電ローラー２８の表面の付着物を除去ローラー２９によって除去できるようになっている。
【００３８】
クリーニング装置１０は、箱型形状のケーシング３１と、ケーシング３１の前上部に固定されるクリーニングブレード３２と、ケーシング３１の前部に収容されるクリーニングローラー３３と、ケーシング３１の略中央部に収容される規制ローラー３４と、ケーシング３１の後部に収容される回収スパイラル３５と、を備えている。
【００３９】
クリーニングブレード３２及びクリーニングローラー３３は、感光体ドラム８の表面に接触している。規制ローラー３４は、クリーニングローラー３３の表面上のトナーの厚さを規制している。回収スパイラル３５は、クリーニング装置１０の外部に設けられたトナー回収ボックス（図示せず）に接続されており、クリーニングブレード３２やクリーニングローラー３３によって感光体ドラム８の表面から除去されたトナーを、回収スパイラル３５によってトナー回収ボックスへと搬送できるようになっている。
【００４０】
クリーニング装置１０は、感光体ドラム８と共に被冷却部３０を構成している。つまり、被冷却部３０は、感光体ドラム８とクリーニング装置１０を含んでいる。被冷却部３０は、画像形成動作に伴って、定着装置１６（図１参照）からの伝熱等によって昇温する。
【００４１】
次に、光走査装置１２について説明する。
【００４２】
図２、図３に示されるように、光走査装置１２は、箱型形状の筐体３６と、筐体３６の略中央部に収容されるポリゴンミラー３７と、筐体３６の前部に収容されるｆθレンズ３８と、筐体３６の前端部に収容される折り返しミラー３９と、を備えている。
【００４３】
筐体３６の前端側には開口部４１が設けられ、筺体３６の後端側には光源（図示せず）が設けられている。ポリゴンミラー３７は、ポリゴンモーター４３によって回転されることで、光源から出射されたレーザー光を偏向する。ｆθレンズ３８は、ポリゴンミラー３７によって偏向されたレーザー光を屈曲させる。折り返しミラー３９は、ｆθレンズ３８によって屈曲されたレーザー光を折り返す。折り返しミラー３９によって折り返されたレーザー光は、開口部４１を介して筐体３６から導出され、感光体ドラム８に照射される。なお、図２の二点鎖線矢印Ａは、光走査装置１２から感光体ドラム８に至る光路（以下、「光路Ａ」と称する）を示している。
【００４４】
次に、プリンター本体２の周辺部について説明する。
【００４５】
図４、図５に示されるように、プリンター本体２の前上隅部には、上部カバー４４（外装カバー）が取り付けられている。上部カバー４４は、排紙トレイ４の前方に配置されている。上部カバー４４は、トナーコンテナ６の上方を覆うように配置されている。
【００４６】
上部カバー４４は、カバー本体４５と、カバー本体４５の右後隅部と左後隅部にそれぞれ連結されるヒンジアーム４６と、を備えている。
【００４７】
カバー本体４５の上面の右端部には、ＬＣＤ（Ｌｉｑｕｉｄ  Ｃｒｙｓｔａｌ  Ｄｉｓｐｌａｙ）やＥＬＤ（Ｅｌｅｃｔｒｏｎｉｃ  Ｌｕｍｉｎｅｓｃｅｎｔ  Ｄｉｓｐｌａｙ）等によって構成される操作ユニット４７が設けられている。そして、操作ユニット４７に設けられたキーやボタンをユーザーが操作することで、プリンター１の各種機能が実現されるようになっている。カバー本体４５の上面の中央部には、開閉可能な用紙ストッパー４８が設けられている。
【００４８】
各ヒンジアーム４６は、円弧状に湾曲する湾曲部５０と、湾曲部５０の先端部から屈曲されて直棒状に延びる延出部５１と、を備えている。湾曲部５０の基端部は、カバー本体４５に連結されている。延出部５１の先端部には軸部５２が設けられており、この軸部５２は、プリンター本体２に設けられた軸受（図示せず）に挿入されている。これにより、上部カバー４４が軸部５２を中心に回動可能となっており、この回動に伴って、上部カバー４４がプリンター本体２に対して開閉されるようになっている。
【００４９】
図４、図５に示されるように、プリンター本体２の前端部には、前部カバー５４が取り付けられている。前部カバー５４は、下端側を中心に回動可能となっており、この回動に伴って、前部カバー５４がプリンター本体２に対して開閉されるようになっている。
【００５０】
図４に示されるように、プリンター本体２の左後上部には、ファン５５（送風装置）が設置されている。そして、ファン５５を稼働させることで、プリンター本体２の外部の空気がプリンター本体２の内部に取り込まれるようになっている。
【００５１】
図２、図３に示されるように、プリンター本体２の内部には、ダクト５６が形成されている。ダクト５６は、被冷却部３０の上側に設けられている。ダクト５６の上流端部（本実施形態では後端部）は、ファン５５（図４参照）に接続されており、ファン５５からの冷却風がダクト５６に導入されるようになっている。ダクト５６の上部は、プリンター本体２のベース部６０によって構成されている。ベース部６０は、光走査装置１２の筐体３６を支持している。
【００５２】
図２、図３に示されるように、プリンター本体２の前部には、光走査装置１２の下方にシャッター６１が設けられている。
【００５３】
図６、図７に示されるように、シャッター６１は、左右方向に延びる直棒状の回動軸６２と、回動軸６２の左右方向中央部から径方向外側に向かって延びる第１平板部６３及び第２平板部６４と、回動軸６２の左右両端部から径方向外側に向かって突出する被押圧片６５（図６、図７では、回動軸６２の左端部から突出する被押圧片６５のみを表示）と、を備えている。
【００５４】
回動軸６２は、プリンター本体２のベース部６０（図２、図３参照）に軸支されている。これにより、シャッター６１は、光路Ａを開放する開放位置（図２、図６参照）と、光路Ａを閉塞する閉塞位置（図３、図７参照）と、の間で回動可能となっている。図６、図７に示されるように、回動軸６２には、ねじりコイルバネ６６（付勢部材）が装着されている。ねじりコイルバネ６６は、シャッター６１を閉塞位置（図３、図７参照）に付勢している。
【００５５】
図６、図７に示されるように、第２平板部６４は、回動軸６２を挟んで第１平板部６３の反対側に設けられている。第２平板部６４の先端部（回動軸６２から離間する側の端部）には、可撓性を有するシート部６７が設けられている。
【００５６】
上記のように構成されたプリンター１において、画像形成動作を行う際には、上部カバー４４が閉じられている。この状態では、図６に示されるように、上部カバー４４の各ヒンジアーム４６がシャッター６１の各被押圧片６５を押圧しており、ねじりコイルバネ６６の付勢力に抗してシャッター６１が開放位置に保持されている。そのため、図２に示されるように、光路Ａをシャッター６１が開放しており、光走査装置１２からのレーザー光を感光体ドラム８に照射することが可能となっている。なお、上部カバー４４が閉じられているので、光走査装置１２からのレーザー光がプリンター１の外部に漏れる虞は無い。
【００５７】
また、上記のようにシャッター６１が開放位置にある状態においては、シャッター６１がダクト５６の前端部を構成している。この状態でファン５５が稼働すると、ファン５５からの冷却風がダクト５６に導入される。この冷却風は、図２に白抜き矢印で示されるように、ダクト５６の内部を後側から前側に向かって流動しながら被冷却部３０へと送られ、被冷却部３０を冷却する。その際、シャッター６１がダクト５６の前端部を構成しているため、ファン５５からの冷却風は、被冷却部３０よりも前側に吹き抜けることなく、被冷却部３０へと集中的に送られる。なお、ファン５５からの冷却風の一部は、ダクト５６には導入されずに光走査装置１２へと送られて、光走査装置１２を冷却する。
【００５８】
また、上記のようにシャッター６１が開放位置にある状態においては、図２に示されるように、ダクト５６の内部と光走査装置１２の筐体３６の開口部４１がシャッター６１によって区画されている。そのため、ダクト５６の内部を流動する冷却風に含まれる粉塵が、光走査装置１２の筐体３６の内部に設置された光学系の部品（例えば、ポリゴンミラー３７やｆθレンズ３８や折り返しミラー３９）を汚染するのを防止することができる。
【００５９】
一方で、上記のように構成されたプリンター１において、プリンター本体２の内部でＪＡＭ（紙詰まり）が発生すると、ユーザー等の作業者は、図５に示されるように、上部カバー４４を開けた後に、前部カバー５４を開ける。そして、図８に示されるように、プロセスユニット５を前上方に引き出す。この状態で、作業者がＪＡＭ処理を行う。
【００６０】
上記のように上部カバー４４が開けられると、図７に矢印ａで示されるように、上部カバー４４の各ヒンジアーム４６が回転し、各ヒンジアーム４６によるシャッター６１の各被押圧片６５に対する押圧が解除される。これに伴って、図７に矢印ｂで示されるように、ねじりコイルバネ６６の付勢力によってシャッター６１が開放位置から閉塞位置まで回動し、図３に示されるように、光路Ａがシャッター６１によって閉塞される。そのため、光走査装置１２の光源（図示せず）が万一異常発光しても、光走査装置１２からのレーザー光がプリンター１の外部に漏れるのを防止し、ユーザー等の作業者を保護することができる。なお、上記のようにシャッター６１が閉塞位置にある状態においては、シャッター６１はダクト５６の前端部を構成していない。
【００６１】
ＪＡＭ処理が完了したら、作業者は、前部カバー５４を閉じた後に、上部カバー４４を閉じる。このように上部カバー４４が閉じられると、図６に矢印ｃで示されるように、上部カバー４４が開けられる時とは逆方向に上部カバー４４の各ヒンジアーム４６が回転し、各ヒンジアーム４６がシャッター６１の各被押圧片６５を押圧する。これに伴って、図６に矢印ｄで示されるように、ねじりコイルバネ６６の付勢力に抗してシャッター６１が閉塞位置から開放位置まで回動し、図２に示されるように、光路Ａをシャッター６１が開放する。
【００６２】
本実施形態では以上のように、シャッター６１が開放位置にある状態において、ファン５５から被冷却部３０に冷却風を送るためのダクト５６の一部をシャッター６１が構成している。そのため、光路Ａを開閉するためのシャッター６１を、ファン５５から被冷却部３０に冷却風を送るためのダクト５６の一部として兼用することが可能となる。これに伴って、上記のダクト５６の全体が専用の部品によって構成される場合と比較して、プリンター１をコンパクト化することができ、プリンター１の製造コストを低廉化することが可能となる。
【００６３】
また、本実施形態では、上部カバー４４が閉じられる際に、上部カバー４４のヒンジアーム４６がシャッター６１を直接押圧する構成となっている。そのため、リンク部材等を介して上部カバー４４とシャッター６１を接続する場合と比較して、プリンター１の構成を簡易なものとすることが可能となる。
【００６４】
また、シャッター６１は、回動軸６２と、回動軸６２から径方向外側に向かって延びる第１平板部６３と、回動軸６２から径方向外側に向かって延びると共に、回動軸６２を挟んで第１平板部６３の反対側に設けられる第２平板部６４と、を備えている。このような構成を採用することにより、簡易な構成によってダクト５６の気密性を高めることが可能となる。
【００６５】
また、被冷却部３０は、感光体ドラム８と、感光体ドラム８に残留したトナーを回収するクリーニング装置１０と、を含んでいる。このような構成を採用することにより、感光体ドラム８及びクリーニング装置１０を冷却し、画像不良の発生を抑制することが可能となる。
【００６６】
本実施形態では、感光体ドラム８とクリーニング装置１０を被冷却部３０とする場合について説明したが、他の異なる実施形態では、例えば、トナーコンテナ６、現像器７、光走査装置１２、定着装置１６等を被冷却部３０としても良い。
【００６７】
本実施形態では、シャッター６１の回動軸６２がプリンター本体２のベース部６０に軸支される場合について説明したが、他の異なる実施形態では、シャッター６１の回動軸６２が光走査装置１２の筐体３６等に軸支されていても良い。
【００６８】
本実施形態では、ねじりコイルバネ６６を付勢部材とする場合について説明したが、他の異なる実施形態では、板バネ、線バネ等を付勢部材としても良い。
【００６９】
本実施形態では、上部カバー４４を外装カバーとする場合について説明したが、他の異なる実施形態では、前部カバー５４や後部カバー（図示せず）や側面カバー（図示せず）等を外装カバーとしても良い。
【００７０】
本実施形態では、プリンター１に本発明の構成を適用する場合について説明したが、他の異なる実施形態では、複写機、ファクシミリ、複合機等のプリンター１以外の画像形成装置に本発明の構成を適用しても良い。
【００７１】
＜第２の実施形態＞
次に、本発明の第２の実施形態について、主に図９及び図１０を用いて説明する。なお、第１の実施形態と同様の部分については、説明を省略する。
【００７２】
プリンター本体２のベース部６０には、収容部７１が設けられている。収容部７１の前端部には、上方に向かって突出する突片７２が設けられ、突片７２の上端部には、軸受溝７３が設けられている。軸受溝７３は、下方に向かって円弧状に湾曲している。収容部７１の後端部には、係止片７４が設けられている。
【００７３】
収容部７１の下端部には、取付溝７９が下方に向かって凹設されており、取付溝７９には、シャッター６１が収容されている。シャッター６１は、光路Ａ（図２参照）を開放する開放位置（図９参照）と光路Ａ（図２参照）を閉塞する閉塞位置（図１０参照）の間で回動可能となっている。
【００７４】
プリンター本体２の収容部７１には、リンク部材７５が収容されている。リンク部材７５の前端部には、揺動軸部７６が設けられている。揺動軸部７６は、突片７２に設けられた軸受溝７３に軸支されている。これにより、シャッター６１の被押圧片６５を押圧する押圧位置（図９参照）と、シャッター６１の被押圧片６５への押圧を解除する押圧解除位置（図１０参照）との間で、リンク部材７５が揺動可能となっている。リンク部材７５の後端部には、被係止片７７が設けられている。被係止片７７は、シャッター６１が押圧解除位置にある状態において、係止片７４に係止されている。リンク部材７５は、ねじりコイルバネ７８（付勢体）によって押圧解除位置に付勢されている。
【００７５】
上記のように構成されたものにおいて、上部カバー４４が閉じられた状態では、図９に示されるように、上部カバー４４の各ヒンジアーム４６がリンク部材７５を押圧している。これに伴って、ねじりコイルバネ７８の付勢力に抗してリンク部材７５が押圧位置に保持されており、リンク部材７５がシャッター６１を押圧している。そのため、シャッター６１が開放位置に保持されており、シャッター６１が光路Ａ（図２参照）を開放している。従って、光走査装置１２からのレーザー光を感光体ドラム８に照射することが可能である。
【００７６】
一方で、上部カバー４４が開けられると、図１０に示されるように、上部カバー４４の各ヒンジアーム４６が回転し、各ヒンジアーム４６によるリンク部材７５への押圧が解除される。これに伴って、ねじりコイルバネ７８の付勢力によってリンク部材７５が押圧位置から押圧解除位置まで揺動し、シャッター６１が自重で開放位置から閉塞位置まで回動する。これに伴って、シャッター６１が光路Ａ（図２参照）を閉塞するため、光走査装置１２からのレーザー光がプリンター１の外部に漏れるのを防止することができ、ユーザー等の作業者を保護することが可能となる。
【００７７】
また、上部カバー４４が閉じられると、図９に示されるように、上部カバー４４が開けられる時とは逆方向に上部カバー４４の各ヒンジアーム４６が回転し、各ヒンジアーム４６がリンク部材７５を押圧する。これに伴って、ねじりコイルバネ７８の付勢力に抗してリンク部材７５が押圧解除位置から押圧位置まで揺動し、リンク部材７５がシャッター６１を押圧して、シャッター６１が閉塞位置から開放位置まで回動する。
【００７８】
本実施形態では以上のように、リンク部材７８を介して上部カバー４４の押圧力をシャッター６１に伝達することができる。そのため、上部カバー４４によってシャッター６１を直接押圧することが困難な場合（例えば、上部カバー４４とシャッター６１が離れた位置にある場合）でも、シャッター６１を回動させることが可能となる。
【００７９】
本実施形態では、ねじりコイルバネ７８を付勢体とする場合について説明したが、他の異なる実施形態では、板バネ、線バネ等を付勢体としても良い。
【符号の説明】
【００８０】
１  プリンター（画像形成装置）
８  感光体ドラム（像担持体）
１０  クリーニング装置
１２  光走査装置
３０  被冷却部
３６  筐体
４１  開口部
４４  上部カバー（外装カバー）
５５  ファン（送風装置）
５６  ダクト
６１  シャッター
６２  回動軸
６３  第１平板部
６４  第２平板部
６６  ねじりコイルバネ（付勢部材）
７５  リンク部材
７８  ねじりコイルバネ（付勢体）
Ａ  光路
【図１】
2014232223.tif 000003
【図２】
2014232223.tif 000004
【図３】
2014232223.tif 000005
【図４】
2014232223.tif 000006
【図５】
2014232223.tif 000007
【図６】
2014232223.tif 000008
【図７】
2014232223.tif 000009
【図８】
2014232223.tif 000010
【図９】
2014232223.tif 000011
【図１０】
2014232223.tif 000012